(57)【要約】【課題】照明のみならず、通信を適切に行うことができる照明器具を提供する。【解決手段】照明器具９００は、可視光を放射する、指向性を有する照明用光源３１０と、所定の情報信号に基づいて、通信をするための信号を制御する通信制御回路１４０と、前記通信制御回路１４０によって制御された信号に基づいて、可視光を発信する、指向性を有する通信用光源３２０と、前記照明用光源３１０を覆う、光拡散性のカバー１１０と、を有する。前記照明用光源３１０は、指向性を有する発光ダイオード２１０を複数有し、前記通信用光源３２０は、指向性を有する発光ダイオード２２０を複数有する。【選択図】  図２
2009009809.tif 000002
【特許請求の範囲】
【請求項１】
可視光を放射する、指向性を有する照明用光源と、
所定の情報信号に基づいて、通信をするための信号を制御する通信制御回路と、
前記通信制御回路によって制御された信号に基づいて、可視光を発信する、指向性を有する通信用光源と、
前記照明用光源を覆う、光拡散性のカバーと、
を有することを特徴とする照明器具。
【請求項２】
前記照明用光源は、指向性を有する発光ダイオードを複数有し、
前記通信用光源は、指向性を有する発光ダイオードを複数有する、
ことを特徴とする請求項１に記載の照明器具。
【請求項３】
前記通信用光源の発光ダイオードの指向性は、前記照明用光源の発光ダイオードの指向性よりも強い、
ことを特徴とする請求項１又は２に記載の照明器具。
【請求項４】
前記通信制御回路は、所定の情報信号に基づいて信号を変調し、
前記通信用光源は、前記通信制御回路によって変調された信号に基づいて、可視光を発信する、
ことを特徴とする請求項１乃至３のいずれ１項に記載の照明器具。
【請求項５】
前記発光ダイオードは、砲弾型発光ダイオードである、
ことを特徴とする請求項２乃至４のいずれか１項に記載の照明器具。
【請求項６】
前記通信用光源は、集光性レンズを有するカバーで覆われている、
ことを特徴とする請求項１乃至５のいずれか１項に記載の照明器具。
【請求項７】
前記光拡散性のカバーは、光拡散性樹脂からなる、
ことを特徴とする請求項１乃至６のいずれか１項に記載の照明器具。
【請求項８】
前記光拡散性のカバーは、表面が光散乱特性を有するように荒く研磨加工されている、
ことを特徴とする請求項１乃至７のいずれか１項に記載の照明器具。
【請求項９】
前記通信用光源を、所定距離離間した位置に、少なくとも２つ有している、
ことを特徴とする請求項１乃至８のいずれか１項に記載の照明器具。
【請求項１０】
前記通信用光源の点灯・消灯を制御する点灯制御回路が配置された第１基板と、
前記第１基板の下方に設けられる、前記照明用光源の点灯・消灯を制御する点灯制御回路が配置された第２基板と、を有し、
前記第２基板には、前記通信用光源の発光ダイオードを突出させるための開口が設けられ、
前記通信用光源の発光ダイオードは、前記第１基板に、アレイ状若しくは略円状に設けられるとともに、前記通信用光源の発光ダイオードを突出させるための前記第２基板の開口から突出しており、
前記照明用光源の発光ダイオードは、前記第２基板に、前記発光ダイオードの周囲を囲むように設けられ、
前記光拡散性のカバーは、前記通信用光源の発光ダイオードの可視光を通過するように、中心部に開口を有するとともに、前記照明用光源の発光ダイオードの可視光を拡散させるように、前記照明用光源の発光ダイオードを覆う、
ことを特徴とする請求項２乃至８のいずれか１項に記載の照明器具。
【発明の詳細な説明】
【技術分野】
【０００１】
本発明は、照明器具に関する。
【背景技術】
【０００２】
光を用いて自由空間に情報を伝送する照明器具が提唱されている。例えば、特許文献１には、発光ダイオード（ＬＥＤ）を照明光として利用するとともに、照明光に変調をかけて情報を送信し、これを受信手段で受信して復調することにより、照明とともに通信を行う照明兼送信装置が開示されている。
【０００３】
このような照明と情報送信とを同時に行う照明器具が、ある空間内に２つ配置され、それぞれの照明器具が異なる信号を発信することがある。
かかる場合は、一方の照明器具から送信される情報が、一方の照明器具に対応する受信装置で受信され、他方の照明器具から送信される情報が、他方の照明器具に対応する受信装置で受信されることにより、適切な通信が行われる。
【０００４】
しかし、このような照明器具が、ある空間内に２つ近接して配置された場合、一方の照明器具から送信される情報が、他方の照明器具に対応する受信装置で受信されることがある。これでは混信が生じて、情報の伝送が適切に行われない可能性がある。
【０００５】
そこで、照明器具の照明の明るさを落とすことにより、一方の照明器具から送信される情報が、他方の照明器具に対応する受信装置で受信されることを起こりにくくする手法が考えられる。
しかしながら、このような手法では、空間の明るさ自体も低下することになるため、照明器具の照明としての役割に問題がある。
【０００６】
【特許文献１】特開２００５−２３６６６７号公報
【発明の開示】
【発明が解決しようとする課題】
【０００７】
本発明は、このような課題に鑑みなされたものであり、照明のみならず、情報の伝送を適切に行うことができる照明器具を提供することを目的とする。
また、本発明は、照明器具がある空間内に複数近接して配置されても、一方の照明器具から送信された情報が、他方の照明器具用の受信装置で受信されることを起こりにくい照明器具を提供することを目的とする。
【課題を解決するための手段】
【０００８】
上記目的を達成するため、この発明の照明器具は、
可視光を放射する、指向性を有する照明用光源と、
所定の情報信号に基づいて、通信をするための信号を制御する通信制御回路と、
前記通信制御回路によって制御された信号に基づいて、可視光を発信する、指向性を有する通信用光源と、
前記照明用光源を覆う、光拡散性のカバーと、
を有することを特徴とする。
【０００９】
また、前記照明用光源は、指向性を有する発光ダイオードを複数有し、
前記通信用光源は、指向性を有する発光ダイオードを複数有する、とすることも可能である。
【００１０】
また、前記通信用光源の発光ダイオードの指向性は、前記照明用光源の発光ダイオードの指向性よりも強い、とすることも可能である。
【００１１】
また、前記通信制御回路は、所定の情報信号に基づいて信号を変調し、
前記通信用光源は、前記通信制御回路によって変調された信号に基づいて、可視光を発信する、とすることも可能である。
【００１２】
また、前記発光ダイオードは、砲弾型発光ダイオードとすることも可能である。
【００１３】
また、前記通信用光源は、集光性レンズを有するカバーで覆われている、とすることも可能である。
【００１４】
また、前記光拡散性のカバーは、光拡散性樹脂からなる、とすることも可能である。
【００１５】
また、前記光拡散性のカバーは、表面が光散乱特性を有するように荒く研磨加工されている、とすることも可能である。
【００１６】
また、前記通信用光源を、所定距離離間した位置に、少なくとも２つ有している、とすることも可能である。
【００１７】
また、前記通信用光源の点灯・消灯を制御する点灯制御回路が配置された第１基板と、
前記第１基板の下方に設けられる、前記照明用光源の点灯・消灯を制御する点灯制御回路が配置された第２基板と、を有し、
前記第２基板には、前記通信用光源の発光ダイオードを突出させるための開口が設けられ、
前記通信用光源の発光ダイオードは、前記第１基板に、アレイ状若しくは略円状に設けられるとともに、前記通信用光源の発光ダイオードを突出させるための前記第２基板の開口から突出しており、
前記照明用光源の発光ダイオードは、前記第２基板に、前記発光ダイオードの周囲を囲むように設けられ、
前記光拡散性のカバーは、前記通信用光源の発光ダイオードの可視光を通過するように、中心部に開口を有するとともに、前記照明用光源の発光ダイオードの可視光を拡散させるように、前記照明用光源の発光ダイオードを覆う、とすることも可能である。
【発明の効果】
【００１８】
本発明に係る照明器具は、空間に２つ近接して配置されても、一方の照明器具から送信される情報が、他方の照明器具に対応する受信手段で受信されることが起こりにくい。
【発明を実施するための最良の形態】
【００１９】
（実施形態１）
実施形態１に係る照明器具９００は、図１に示すように、可視光を放射する、指向性を有する照明用光源３１０と、所定の情報信号に基づいて、通信をするための信号を制御する通信制御回路１４０と、通信用光源３２０と、照明用光源３１０を覆う光拡散性のカバー１１０と、を有する。通信用光源３２０は、指向性を有し、通信制御回路１４０によって制御された信号に基づいて、可視光を発信する。
【００２０】
カバー１１０は、略皿状体で、中央部１２０が開口となっている。通信用光源３２０から放射される可視光は、この中央部１２０の開口を通過する。
照明用光源３１０からの可視光は、光拡散性のカバー１１０により拡散されて室内全体を照らす。
【００２１】
（実施形態２）
照明用光源３１０は、図２（ａ）に示すように、点線３１１で囲まれたＬＥＤ（Ｌｉｇｈｔ  Ｅｍｉｔｔｉｎｇ  Ｄｉｏｄｅ）２１０を複数個有する。このＬＥＤ２１０は、指向性を有し、可視光を放射することで室内を照らす。このＬＥＤ２１０は、白色の可視光を照射し、砲弾型ＬＥＤである。この照明用光源３１０は、図２（ａ）のＸ−Ｘ線の断面を示す図２（ｂ）に示されるように、斜線で示す略ドーナツ形状の領域に配列されている。
ＬＥＤ２１０は、照明用光源３１０の点灯・消灯を制御する点灯制御回路が配置された第２基板１５１に設けられている。この第２基板１５１には、後述するＬＥＤ２２０を突出させるための開口が設けられている。
【００２２】
通信用光源３２０は、図２（ａ）において、点線３２１で囲まれた領域にＬＥＤ２２０を複数個有する。このＬＥＤ２２０は、指向性を有し、可視光を放射して室内を照らすとともに、通信制御回路１４０によって変調される可視光を発信する。このＬＥＤ２２０は、白色の可視光を照射し、砲弾型ＬＥＤである。この通信用光源３２０は、図２（ｂ）において図示されるように、本体ケース１００の中心部に設けられている。ＬＥＤ２２０の指向性は、ＬＥＤ２１０の指向性よりも強い。
ＬＥＤ２２０は、通信用光源３２０の点灯・消灯を制御する点灯制御回路が配置された第１基板１５２に設けられている。この第１基板１５２は、第２基板１５１の上方に設けられる。ＬＥＤ２２０は、第２基板１５１に設けられた開口から突出している。
【００２３】
カバー１１０は、光拡散性樹脂で形成されている。照明用光源３１０から放射される可視光は、指向性を有するが、カバー１１０は光拡散性樹脂で形成されているから、照明用光源３１０から放射される可視光は、このカバー１１０を通過することで室内全体をまんべんなく明るく照らす。
【００２４】
カバー１１０の材質として用いられる光拡散性樹脂としては、例えば、ポリカーボネート樹脂、（メタ）アクリル樹脂等に光拡散材を添加したものを使用することができる。光拡散材としては、例えば、シリコーン微粒子、メタクリル酸メチルポリマー非真球状微粒子等を用いることができる。カバー１１０は透明に形成されている。
【００２５】
照明器具９００は、天井に対して吊り下げ型の照明器具であり、電流線１３０は、天井から照明器具９００を吊り下げるための吊り下げ線としても機能する。
【００２６】
照明用光源３１０と、通信制御回路１４０と、通信用光源３２０とは、本体ケース１００の中に収納されている。本体ケース１００は、図２（ａ）と図２（ｂ）とで示されるように、略円錐型形状をしている。本体ケース１００は、例えば、ポリプロピレンやポリスチレン等のプラスチック若しくはアルミニウムや鉄等の金属で形成されている。
【００２７】
ＬＥＤ２２０を駆動するための電流は、図示されていない電源及び電源アダプターから電流線１３０を通り、通信制御回路１４０を経由してＬＥＤ２２０に供給される。また、ＬＥＤ２１０を駆動するための電流は、電源から電流線１３０、電流線１６０を経由してＬＥＤ２１０に供給される。
通信制御回路１４０は、信号ライン１３１にて送信される所定の情報信号に基づいて信号を変調する。そしてＬＥＤ２２０は強度変調された可視光を放射する。この変調された可視光を後述する受信装置４３０において受光することによって、照明器具９００から受信装置４３０へのデータ送信を行うことができる。
なお、通信用光源３２０によって送信するデータは、外部から受け取ったデータあるいは照明器具９００内において保持あるいは生成したデータであってもよい。
【００２８】
通信制御回路１４０の変調方式は、ＯＯＫ（ＯＮ−ＯＦＦ  Ｋｅｙｉｎｇ）やＢＰＳＫ等、任意の変調方式を利用することができる。なお、ＬＥＤは、高速な応答特性を有しているため、光量の変化や点滅は人間の目には感知されず、連続して発光しているように感じる。そのため通信用光源３２０から情報を発信しても、通信用光源３２０は通信のみならず照明の役割を担うことができる。
【００２９】
通信制御回路１４０は、変調回路であり、図３（ａ）に示すように、増幅器２２３と、コンデンサ２２２と、照明用電源２２６と、抵抗２２１、２２５と、インダクタンス２２４と、を有する。送信信号は入力端子（ｉｎｐｕｔ）から増幅器２２３を通して、変調回路１４０に入力される。混信を防止するために、増幅器２２３に入力信号受容可能スイッチをつけておくことが望ましい。
【００３０】
なお、通信制御回路１４０は、変調を行わないで、ＬＥＤのＯＮ・ＯＦＦを制御することも可能である。かかる場合、通信制御回路１４０は、図３（ｂ）に示すように、フォトダイオード２４１と、電流抵抗２４２と、トランジスタ２４３と、を有する。
【００３１】
受信装置４３０は、図４（ａ）に示すように、フォトダイオード４３６と、増幅器４３３と、電源４３５と、インダクタンス４３４と、コンデンサ４３２と、を有する。変調光はフォトダイオード４３６によって受信される。受信光は、フォトダイオード４３６により電気信号に変換され、増幅器４３３により利用可能な信号レベルに整形されて出力される。
【００３２】
なお、通信制御回路１４０が、ＬＥＤのＯＮ・ＯＦＦを制御する場合は、受信装置４３０は、図４（ｂ）に示すように、電流抵抗４４１と、増幅器４４２と、フォトダイオード４４３と、を有する。
【００３３】
図５に示すように、本実施形態に係る照明器具９００を、例えば、家庭等の屋内で用いることができる。照明用光源３１０からの可視光は領域７１０で示されるように室内を照らす。受信装置４３０が設けられているプリンタ４３１は、照明器具９００の通信用光源３２０に対向する位置に設置される。パソコン４３２からの所定の情報は、有線若しくは無線手段により、照明器具９００に送信される。そして、照明器具９００の通信用光源３２０から領域７２０で示されるように情報が発信され、プリンタ４３１に設けられている受信装置４３０が発信された情報を受信する。そして例えばプリンタ４３１は、パソコン４３２から発信された情報に基づき、所定の内容の印刷を行う。
【００３４】
図６（ａ）に示すように、ＬＥＤ２１０のＯＮ・ＯＦＦは、点灯制御回路２３１によって制御される。また、ＬＥＤ２２０のＯＮ・ＯＦＦは、点灯制御回路２３０によって制御される。そして、ＬＥＤ２２０から送信されるデータは、通信制御回路１４０によって、所定のデータを送信可能なように制御される。
【００３５】
なお、図６（ｂ）に示すように、ＬＥＤ２１０のＯＮ・ＯＦＦ及びＬＥＤ２２０のＯＮ・ＯＦＦを共通する点灯制御回路２３１によって制御することも可能である。
【００３６】
図７（ａ）に示すように、本実施形態に係る照明器具９００ａと９００ｂとを、室内の天井に近接して配置することができる。照明器具９００ａと９００ｂとは、ＬＥＤ２１０から放射される可視光を光拡散性のカバー１１０で拡散させるから、室内全体を、図７（ａ）で示す領域７１０ａ、７１０ｂのように明るく照らす。
照明器具９００ａの通信用光源３２０から発射される信号と、照明器具９００ｂの通信用光源３２０から発射される信号とは、それぞれ異なる。ここで、通信用光源３２０から放射される可視光は指向性を有する。照明器具９００ａの通信用光源３２０からの可視光は７２０ａで、照明用光源９００ｂの通信用光源３２０からの可視光は７２０ｂで示される。そのため、例えば室内の近接する位置に照明器具９００ａと照明器具９００ｂとを配置したとしても、照明器具９００ａに対応する可視光は受信装置４３０ａで、照明器具９００ｂに対応する可視光は受信装置４３０ｂで、それぞれデータを受信するから混信が起こりにくい。
【００３７】
一方、図７（ｂ）に示されるように、比較例に係る照明器具８００ａと８００ｂとを、室内の天井に近接して配置することができる。この照明器具８００ａと８００ｂでは、通信用光源４２０に使用されるＬＥＤは、本実施形態に係る照明器具９００と異なり、拡散性の光照射特性を有する。照明器具８００ａの照明用光源４２０からの可視光は８１０ａで、照明用光源８００ｂの照明用光源４２０からの可視光は８１０ｂで示される領域を照らす。また、照明器具８００ａの通信用光源４２０からの可視光は８２０ａで、照明用光源８００ｂの通信用光源４２０からの可視光は８２０ｂで示される。図７（ｂ）に示すように、照明器具８００ａの通信用光源４２０から放射される可視光は、受信装置４３０ａのみならず受信装置４３０ｂにまで到達する。これでは、データ送信が複数箇所に行われるために正確な通信を行うことが困難となるおそれがある。
しかしながら、本実施形態に係る照明器具９００では、上述したように混信が起こりにくい。
【００３８】
（実施形態３）
実施形態３に係る照明器具９００は、実施形態２とは異なり、図８（ａ）に示すように、カバー１１０の中央部には集光性レンズ１７０が設けられている。そのため、通信用光源３２０から放射される可視光は、この集光性レンズ１７０を通過することで、実施形態２よりも広がりを抑えつつ受信装置４３０に到達する。図８（ｂ）に示すように、照明器具９００ａの照明用光源３１０からの可視光は７１０ａで、照明器具９００ｂの照明用光源３１０からの可視光は７１０ｂで示す。また、照明器具９００ａの通信用光源３２０からの可視光は７２０ａで、照明器具９００ｂの通信用光源３２０からの可視光は７２０ｂで示す。実施形態３に係る照明器具９００は、図８（ｂ）に示すように、室内の極めて近接した位置に複数配置したとしても、データの送信を正確に行うことが可能である。
【００３９】
（実施形態４）
実施形態４に係る照明器具９００は、図９（ａ）に示すように、実施形態２とは異なり、通信用光源３２０ａ、３２０ｂを複数有する。通信用光源３２０ａと通信用光源３２０ｂとはそれぞれ異なる信号を発信する。ＬＥＤ２１０とＬＥＤ２２０とは、図９（ａ）のＹ−Ｙ線の断面である図９（ｂ）において、アレイ状に配列している。照明用光源３１０は、図９（ｂ）において斜線で示される領域に設けられている。
【００４０】
図９（ｃ）に示されるように、実施形態３に係る照明器具９００を、例えば、家庭等の屋内で用いることができる。通信用光源３２０ａからの可視光は７２０ａで、通信用光源３２０ｂからの可視光は７２０ｂで示される。また、照明用光源３１０からの可視光は７１０で示される。照明器具９００の通信用光源３２０ａ、３２０ｂからそれぞれ異なる信号の情報が発信され、プリンタ４３１ａ、４３１ｂに設けられている受信装置４３０ａ、４３０ｂが受信する。通信用光源３２０ａから送信されるデータは受信装置４３０ａが、通信用光源３２０ｂから送信されるデータは受信装置４３０ｂが、それぞれ受信するから混信が生じにくい。なお、照明器具９００の通信用光源３２０ａ、３２０ｂをそれぞれ図８（ａ）で示したような集光性レンズを有するカバーで覆うことも可能である。
【００４１】
（実施形態５）
上述の実施形態では、照明器具９００は吊り下げ型の照明器具であったが、照明器具９００は天井若しくは室内の壁等への直付け型の照明器具として構成することも可能である。
【００４２】
直付け型の照明器具９００ａと９００ｂが、図１０に示されるように、それぞれ室内の壁８０１ａと壁８０１ｂとに設置される。照明器具９００ａは、通信用光源３２０から可視光を放射して、壁８０１ａに対向する位置にある壁８０２ａに設けられている受信装置４３０ａに、データ送信する。また、照明器具９００ｂは、通信用光源３２０から可視光を放射して、壁８０１ｂに対向する位置にある壁８０２ｂに設けられている受信装置４３０ｂに、データを送信する。
そして、通信用光源３２０から放射される可視光は指向性を有するから、照明器具９００ａは受信装置４３０ａにデータを送信するが、受信装置４３０ｂにデータが送信されることはない。そのため、混信が生じにくい。
【００４３】
（実施形態６）
図１１（ａ）及び（ｂ）に示すように、実施形態６に係る照明器具９００は、上述の実施形態に係る照明器具と異なり、切替可能光源３３０を有する。この切替可能光源３３０は、照明のみをする形態と、照明と同時に通信データを送信する形態とをスイッチで選択して切替できるＬＥＤ２５０を複数有する。切替可能光源３３０は、図１１（ａ）のＺ−Ｚ線の断面である図１１（ｂ）において、斜線で示す領域に示してある。
【００４４】
切替可能光源３３０が、照明と同時に通信データを送信する形態では、図１２（ａ）で示すように、カバー１１０の中央部１２０に設けられている開口は、ＬＥＤ２５０からの通信データを、拡散性材質で形成されたカバー１１０で拡散しないように、大きく開く。なお、カバー１１０の中央部１２０に設けられている開口が大きく開く若しくは小さく狭まる機構は、既存の機構を使用することができる。
【００４５】
切替可能光源３３０は、照明のみをする形態の場合は、図１２（ｂ）で示されるように、点灯制御回路２３１は、ＬＥＤ２１０とＬＥＤ２５０の点灯・消灯を制御する。そして、点灯制御回路２３０は、ＬＥＤ２２０の点灯・消灯を制御し、通信制御回路１４０は、ＬＥＤ２２０から発信される信号を制御する。
一方、切替可能光源３３０は、照明及び通信をする形態の場合は、図１２（ｃ）で示されるように、点灯制御回路２３１は、ＬＥＤ２１０の点灯・消灯を制御する。そして、点灯制御回路２３０は、ＬＥＤ２２０及びＬＥＤ２５０の点灯・消灯を制御し、通信制御回路１４０は、ＬＥＤ２２０及びＬＥＤ２５０から発信される信号を制御する。
【００４６】
（実施形態７）
実施形態７に係る照明器具９００は、図１３（ａ）に示すように、例えば赤色の可視光を放射する、第１の照明用光源８１０と、例えば緑色の可視光を放射する、第２の照明用光源８２０と、第１の照明用光源８１０を覆う、光拡散性の材質からなるカバー１１０と、を有する。そして、第１の照明用光源８１０は、指向性の光照射特性を有するＬＥＤ２１０を複数個有する。また、第２の照明用光源８２０も、指向性の光照射特性を有するＬＥＤ２２０を複数個有する。カバー１１０には、通信用光源８２０からの可視光を通過させるために中央部１２０に開口が設けられている。
【００４７】
この実施形態７に係る照明器具９００は、実施形態１〜６に係る照明器具９００のように通信と照明をすることを目的とするものでなく、第１の照明用光源８１０と第２の照明用光源８２０とから異なる色の室内を照らす可視光を放射することで、演出性を高めることを可能とする照明器具である。
【００４８】
図１３（ｂ）に示すように、照明器具９００は天井に配置されている。そして、第１の照明用光源８１０は赤色の可視光を放射し、第２の照明用光源８２０は緑色の可視光を放射する。そのため、床８３０には、赤色のスポット８１１と黄色のスポット８２１とが照射される。スポット８２１が床８３０に黄色で照射されるのは、第１の照明用光源８１０の赤色と第２の照明用光源８２０の緑色とが合わさることで黄色になるからである。
【００４９】
第２の照明用光源８２０に用いられているＬＥＤ２２０は、指向性の光照射特性を有するから、床８３０に投影されるスポット８２１は小さい円形形状である。一方、第１の照明用光源８１０に用いられているＬＥＤ２１０も、指向性の光照射特性を有するものの、第１の照明用光源８１０からの可視光は、光拡散性のカバー１１０を通過するから拡散され、そのため、床８３０に大きい円形形状のスポット８１１を投影する。そのため、この実施形態７に係る照明器具９００は、第１の照明用光源８１０からの赤色の可視光をカバー１１０で床８３０全体に広く拡散する一方、第２の照明用光源８２０からの緑色の可視光を床８３０の希望する場所のみに照射することができる。結果として、床８３０に、小さい形状の黄色のスポット８２１が投影され、その周辺を大きい形状の赤色のスポット８１１が投影されることになり、非常に演出性を高めた照明が可能となる。
【００５０】
（その他の実施形態）
実施形態２では、カバー１１０は、中央部１２０が開口となっている。もっともこれに限定されない。カバー１１０の中央部１２０の開口に光透過性のガラス性のカバーを設けることも可能である。中央部１２０にガラス性カバーを設けると、通信用光源３２０から放射される可視光は、このガラス性カバーを通過する。そして、カバー１１０の中央部１２０がガラス性カバーで覆われているから、中央部１２０を通して室内のゴミやほこり等が照明器具９００内に入ることを防止することができる。
【００５１】
上述の実施形態２〜６において、照明用光源３１０と通信用光源３２０のいずれか一方に、白色光以外の有色光を放射させるように構成することができる。例えば、ＬＥＤ２１０は白色の可視光を放射し、ＬＥＤ２２０は赤色の可視光を放射するように構成できる。また例えば、ＬＥＤ２１０は赤色の可視光を放射し、ＬＥＤ２２０は白色の可視光を放射するように構成することができる。
また、照明用光源３１０及び通信用光源３２０の双方がそれぞれ異なる色を放射するように構成することも可能である。例えば、ＬＥＤ２１０は赤色の可視光を放射し、ＬＥＤ２２０は緑色の可視光を放射するように構成することができる。このように構成することにより、適切に通信を行いながら、演出性を高めた照明を行うことができる。
【００５２】
上述の実施形態では、カバー１１０は透明であった。もっともこれに限定されない。カバー１１０には、例えば、赤色、青色、緑色、紫色、ピンク色等の色彩を付すことが可能である。このようにカバー１１０に色彩を付すことにより、照明用光源３１０からの可視光は、カバー１１０により色鮮やかに拡散されて例えば床全体を明るく演出性高く照らす。
【００５３】
上述の実施形態では、指向性の光照射特性を有するＬＥＤとして砲弾型ＬＥＤを用いたが、これに限定されず、指向性の光照射特性を有を有するＬＥＤであるならば、その他のＬＥＤも使用することができる。
【００５４】
上述の実施形態では、カバー１１０を形成する光拡散性樹脂として、ポリカーボネート樹脂、（メタ）アクリル樹脂等に光拡散材を添加したものを使用した。もっともこれに限定されない。光拡散性樹脂に使用される樹脂としては、塩化ビニル−塩化ビニリデン共重合体等の塩化ビニル系樹脂、酢酸ビニル−エチレン共重合体等のビニルエステル系樹脂、スチレン−アクリロニトリル共重合体、スチレン−ブタジエン−アクリロニトリル共重合体、スチレン−ブタジエンブロック共重合体、スチレン−イソプレンブロック共重合体、スチレン−メタクリル酸メチル共重合体等のスチレン系樹脂、（メタ）アクリル酸エステル−スチレン共重合体等の（メタ）アクリル酸エステル系樹脂、アジピン酸とエチレングリコールとの縮合体等のポリエステル系樹脂、およびポリエチレン、ポリプロピレン、ポリイソブチレン、ポリブタジエン等のポリオレフィン系樹脂等を使用することができる。
【００５５】
また、上述の実施形態では、カバー１１０を形成する光拡散性樹脂に使用される樹脂に添加される光拡散材として、シリコーン微粒子、メタクリル酸メチルポリマー非真球状微粒子等を用いた。もっともこれに限定されない。光拡散材として無機蛍光体を含有させることも可能である。無機蛍光体としては、例えば、ハロリン酸カルシウム系蛍光体、リン酸塩系蛍光体、アルミン酸塩系蛍光体、硫化亜鉛系蛍光体、酸化亜鉛系蛍光体、希土類酸化物系蛍光体等を用いることができる。
【００５６】
上述の実施形態では、カバー１１０は光拡散性樹脂で形成されていたが、これに限定されない。カバー１１０は、表面が光散乱特性を有するように荒く研磨加工されていることも可能である。かかる場合においても、照明用光源３１０から発射される可視光は、カバー１１０により拡散されて室内をまんべんなく明るく照らす。
【図面の簡単な説明】
【００５７】
【図１】実施形態１に係る照明器具の外観を説明する図である。
【図２】（ａ）は、実施形態２に係る照明器具の外観図であり、（ｂ）は、図２（ａ）のＸ−Ｘ線での断面図である。
【図３】通信制御回路の構成の一例を模式的に示す図であり、そのうち（ａ）は信号を変調する制御回路の一例であり、（ｂ）はＬＥＤをＯＮ・ＯＦＦする制御をする制御回路の一例である。
【図４】受信装置の構成の一例を模式的に示す図であり、そのうち（ａ）は変調された信号を受信する回路の一例であり、（ｂ）は、ＯＮ・ＯＦＦ制御された信号を受信する回路の一例である。
【図５】実施形態２に係る照明器具を使用して、室内を照らすとともに、通信をする様子を説明する図である。
【図６】（ａ）は、ＬＥＤをそれぞれの点灯制御回路により制御する様子を説明する図であり、（ｂ）は、ＬＥＤを共通する点灯制御回路により制御する様子を説明する図である。
【図７】（ａ）は、実施形態２に係る照明器具を複数用いて室内を照らすと同時に通信をする様子を説明する図であり、（ｂ）は、比較例の照明器具を複数用いて室内を照らすと同時に通信を行う様子を説明する図である。
【図８】（ａ）は、実施形態３に係る集光レンズを設けた照明器具の外観図であり、（ｂ）は、実施形態３に係る照明器具を複数用いて室内を照らすと同時に通信を行う様子を説明する図である。
【図９】（ａ）は、実施形態４に係る照明器具の外観図であり、（ｂ）は、図９（ａ）のＹ−Ｙ線での断面図であり、（ｃ）は、実施形態３に係る照明器具を複数用いて室内を照らすと同時に通信を行う様子を説明する図である。
【図１０】実施形態５に係る壁に直付けされた複数の照明器具が室内を照らすと同時に通信を行う様子を説明する図である。
【図１１】（ａ）は、実施形態６に係る照明器具の外観を説明する図であり、（ｂ）は、Ｚ−Ｚ線での断面図である。
【図１２】（ａ）は、実施形態６に係る照明器具のカバーの開口が大きく開いている様子を説明する図であり、（ｂ）は、切替可能光源３３０が照明のみをする場合を説明する図であり、（ｃ）は、切替可能光源３３０が照明及び通信をする場合を説明する図である。
【図１３】（ａ）は、実施形態７に係る照明器具の外観図であり、（ｂ）は、実施形態７に係る照明器具が、異なる色の複数のスポットで床を照射する様子を説明する図である。
【符号の説明】
【００５８】
１００    本体ケース
１１０    カバー
１２０    中央部
１４０    信号制御回路
２１０    ＬＥＤ
２２０    ＬＥＤ
２２１    抵抗
２２２    コンデンサ
２２３    増幅器
２２４    インダクタンス
２２５    抵抗
２２６    照明用電源
２３０    点灯制御回路
２３１    点灯制御回路
２３２    通信制御回路
３１０    照明用光源
３２０    通信用光源
４１０    照明用光源
４２０    通信用光源
４３０    受信装置
４３１    フォトダイオード
４３２    コンデンサ
４３３    増幅器
４３４    インダクタンス
４３５    電源
８０１ａ  壁
８０１ｂ  壁
８０２ａ  壁
８０２ｂ  壁
８３０    床
９００    照明器具
【図１】
2009009809.tif 000003
【図２】
2009009809.tif 000004
【図３】
2009009809.tif 000005
【図４】
2009009809.tif 000006
【図５】
2009009809.tif 000007
【図６】
2009009809.tif 000008
【図７】
2009009809.tif 000009
【図８】
2009009809.tif 000010
【図９】
2009009809.tif 000011
【図１０】
2009009809.tif 000012
【図１１】
2009009809.tif 000013
【図１２】
2009009809.tif 000014
【図１３】
2009009809.tif 000015